(57)【要約】【課題】ユニバーサルデザインの考え方を導入し、かつ、注ぎ性を向上させたエンボス付きの包装袋を提供すること。【解決手段】表裏２枚の合成樹脂フィルム（１１、１２）の周縁をシール（１３）してなる包装袋の、製袋する前の合成樹脂フィルム、又は、製袋後の包装袋に、真空成形法、圧空成形法又は型押し加工法によりエンボス模様（１５）を施した。エンボス模様（１５）は中身を取り出す注出口の位置や注出方向を示す形状、例えば、矢印にすると誰にでも分かりやすい。【選択図】図１
2004136937.tif 000002
【特許請求の範囲】
【請求項１】
表裏２枚の合成樹脂フィルムの周縁をシールしてなる包装袋の、製袋するまえの合成樹脂フィルム、又は、製袋後の包装袋に、真空成形法又は圧空成形法によりエンボス模様を施したことを特徴とする、エンボス付き包装袋。
【請求項２】
表裏２枚の合成樹脂フィルムの周縁をシールしてなる包装袋の、製袋するまえの合成樹脂フィルム、又は、製袋後の包装袋に、雄型と雌型を用いた型押し加工によりエンボス模様を施したことを特徴とする、エンボス付き包装袋。
【請求項３】
前記製袋するまえの合成樹脂フィルム、又は、製袋後の包装袋を、あらかじめ、８０°Ｃから１００°Ｃの温度で予備加熱した後、エンボス模様を施したことを特徴とする、請求項１又は２記載のエンボス付き包装袋。
【請求項４】
前記エンボス模様が中身を取り出す注出口の位置や注出方向を示す形状であることを特徴とする、請求項１、２又は３記載のエンボス付き包装袋。
【請求項５】
前記エンボス模様が矢印であることを特徴とする、請求項１、２、３又は４記載のエンボス付き包装袋。
【請求項６】
前記エンボス模様が絵柄や文字の輪郭に合わせて凸形状や凹形状になっていることを特徴とする、請求項１、２、３、４又は５記載のエンボス付き包装袋。
【請求項７】
前記エンボス模様が収納される内容物の識別が可能な表示であることを特徴とする、請求項１、２、３、４、５又は６記載のエンボス付き包装袋。
【発明の詳細な説明】
【０００１】
【発明の属する技術分野】
本発明は、エンボス付き包装袋に関し、特には「ユニバーサルデザイン」の考え方を導入したエンボス付き包装袋に関する。
【０００２】
【従来の技術】
合成樹脂フィルムを主体とする包装袋、なかでも注ぎ口を有する包装袋は、注ぎ口が閉塞し易いという問題を有しながらも詰め替え専用の包装袋を初め多くの用途で使用されている。
ところでこれらの包装袋の表面には種々の情報、例えば、内容物の種類や数量、使用方法、袋の開封方法等の情報が印刷という形態で付加されており、消費者はその情報を読み取り最適の方法で使用している。
【０００３】
一方、近年容器包装の世界においても、年齢、性別、身体、言語など人々の様々な特性や違いを超えて，できるだけすべての人々に配慮されたデザインや使い方を追求するという「ユニーバーサルデザイン」の考え方が導入されつつあり、誰でも公平に使用できることや使う上で自由度の高いことなどが求められている。
【０００４】
【発明が解決しようとする課題】
本発明は、合成樹脂フィルムを主体とする包装袋、特に、合成樹脂フィルムを主体とする注ぎ口を有する包装袋に関する以上のような問題に鑑みてなされたもので、「ユニバーサルデザイン」の考え方を導入し、かつ、注ぎ性を向上させたエンボス付き包装袋を提供することを課題とする。
【０００５】
【課題を解決するための手段】
本発明の請求項１の発明は、表裏２枚の合成樹脂フィルムの周縁をシールしてなる包装袋の、製袋するまえの合成樹脂フィルム、又は、製袋後の包装袋に、真空成形法又は圧空成形法によりエンボス模様を施したことを特徴とする、エンボス付き包装袋である。
【０００６】
このように請求項１記載の発明によれば、表裏２枚の合成樹脂フィルムの周縁をシールしてなる包装袋の、製袋するまえの合成樹脂フィルム、又は、製袋後の包装袋に、真空成形法又は圧空成形法によりエンボス模様を施したので、比較的エンボス模様を深くまで入れることができる。
【０００７】
また、請求項２の発明は、表裏２枚の合成樹脂フィルムの周縁をシールしてなる包装袋の、製袋するまえの合成樹脂フィルム、又は、製袋後の包装袋に、雄型と雌型を用いた型押し加工によりエンボス模様を施したことを特徴とする、エンボス付き包装袋である。
【０００８】
このように請求項２記載の発明によれば、雄型と雌型を用いた型押し加工によりエンボス模様を施すので、比較的容易にエンボス加工を行うことができる。
【０００９】
また、請求項３の発明は、請求項１又は２記載の発明において、前記製袋するまえの合成樹脂フィルム、又は、製袋後の包装袋を、あらかじめ、８０°Ｃから１００°Ｃの温度で予備加熱した後、エンボス模様を施したことを特徴とする、エンボス付き包装袋である。
【００１０】
このように請求項３記載の発明によれば、製袋するまえの合成樹脂フィルム、又は、製袋後の包装袋を、あらかじめ、８０°Ｃから１００°Ｃの温度で予備加熱した後、エンボス模様を施すので、エンボス模様が施し易くなる。
【００１１】
また、請求項４の発明は、請求項１、２又は３記載の発明において、前記エンボス模様が中身を取り出す注出口の位置や注出方向を示す形状であることを特徴とする、エンボス付き包装袋である。
【００１２】
このように請求項４記載の発明によれば、エンボス模様が中身を取り出す注出口の位置や注出方向を示す形状であるので、文字や記号がわからない消費者にとっても、エンボス模様を触るなどするだけで注出口の位置や注出方向を理解することができる。
【００１３】
また、請求項５の発明は、請求項１、２、３又は４の発明において、前記エンボス模様が矢印であることを特徴とする、エンボス付き包装袋である。
【００１４】
また、請求項６の発明は、請求項１、２、３、４又は５の発明において、前記エンボス模様が絵柄や文字の輪郭に合わせて凸形状や凹形状になっていることを特徴とする、エンボス付き包装袋である。
【００１５】
このように請求項６記載の発明によれば、エンボス模様が絵柄や文字の輪郭に合わせて凸形状や凹形状になっているので、見る人に絵柄や文字を強調して訴えることができる。
【００１６】
また、請求項７の発明は、請求項１、２、３、４、５又は６の発明において、前記エンボス模様が収納される内容物の識別が可能な表示であることを特徴とする、エンボス付き包装袋である。
【００１７】
このように請求項７記載の発明によれば、エンボスの模様が収納される内容物の識別が可能な表示であるので、収納されている内容物を見なくても内容物を識別することができる。
【００１８】
【発明の実施の形態】
本発明のエンボス付き包装袋を、一実施形態に基づいて以下に詳細に説明する。
本発明のエンボス付き包装袋は、例えば、図１に示すように、表裏２枚の合成樹脂フィルム（１１、１２）の周縁をシール（１３）してなる包装袋（１０）の、製袋するまえの合成樹脂フィルム、又は、製袋後の包装袋に、エンボス模様（１５）を施したエンボス付き包装袋（１）である。
【００１９】
包装袋（１０）は、三方シール袋、四方シール袋、ピロー包装袋、スタンディングパウチなど，一般的に公知周縁がシール（１３）された包装袋が使用できる。なかでもスタンディングパウチは、自立性があるため陳列性に優れ、詰め替え用の包装袋等にも使用されている。
【００２０】
包装袋（１０）に使用される合成樹脂フィルム（１１、１２）としては、たとえば、二軸延伸ナイロンフィルム（ＯＮｙ）／線状低密度ポリエチレン（Ｌ−ＬＤＰＥ）、ＯＮｙ／アルミニウム箔（Ａｌ）／Ｌ−ＬＤＰＥ、ポリエチレンテレフタレートフィルム（ＰＥＴ）／Ａｌ／Ｌ−ＬＤＰＥ、ＰＥＴ／Ａｌ／ＯＮｙ／Ｌ−ＬＤＰＥ等の一般的に公知の複合フィルムが挙げられるが、ヒートシール適性、耐内容物性、開封性、引き裂き性、後記するエンボス加工適性等を総合的に勘案して決定すればよい。
【００２１】
エンボス模様（１５）は、包装袋として製袋した後から施しても良いし、製袋するまえの合成樹脂フィルムの段階で施しても良い。
前者の方法を採ると表裏のフィルム２枚同時にエンボス模様が施され、後者の方法を採ると表裏どちらか一方の或いは両方のフィルムにエンボス模様が施されることが可能である。
【００２２】
エンボス模様を施す方法は、雌雄の金型を用いて真空成形法又は圧空成形法による方法、あるいは、雄型と雌型を用いた型押し加工による方法があげられる。前者の真空成形法又は圧空成形法による方法は、比較的深いエンボス模様を加工することができるが、絞ることによるしわが発生し易い。
後者の型押し加工による方法は、エンボス模様は比較的浅くできるが、絞ることによるしわは発生しにくい。また、加工速度も低下しない。
エンボス深さとしては１μｍ〜１０ｍｍ程度が良いが、より好ましくは１０μｍ〜５ｍｍ程度である。
【００２３】
また、注出口（１４）を有する包装袋の注出口部分にエンボス模様（１５）を施した場合には、注出口部分の閉塞性が改善され、注出口が閉塞しにくくなり内容物の注ぎ出し性が良くなる。
【００２４】
注出口（１４）を有する包装袋の場合、注出口切取り位置指示マーク（ａ）を表示しておくと便利である。注出口切取り位置指示マーク（ａ）は、ミシン目、半切れ線、罫線、あるいは印刷による表示のいずれか、または、それらを組み合わせて形成すれば良い。
注出口切取り位置指示マーク（ａ）の先端に、Ｖ字状、Ｉ字状等の切り込み（１６）を設けておくことにより、開封開始位置、開封方向がよりわかりやすくなる。
【００２５】
図２（ａ）〜（ｄ）は、注ぎ口の位置に関するユニバーサルデザインの一例を示したもので、これは、注ぎ口の位置を誰が見ても分かりやすいように、矢印のデザインをエンボス模様で表したものである。
【００２６】
【発明の効果】
上記のように、本発明のエンボス付き包装袋は包装袋の表面にエンボス模様を施すことにより、商品文字の強調、バリアフリー表示、注ぎ性を向上させた包装袋とすることができる。
【図面の簡単な説明】
【図１】本発明のエンボス付き包装袋の一実施例を示す、（ａ）は平面説明図であり、（ｂ）は（ａ）のＡ−Ａ’線断面説明図である。
【図２】（ａ）〜（ｄ）は本発明のエンボス付き包装袋の別の実施例を示す、平面説明図である。
【符号の説明】
１‥‥エンボス付き包装袋
１０‥‥包装袋
１１‥‥合成樹脂フィルム（表側）
１２‥‥合成樹脂フィルム（裏側）
１３‥‥シール部
１４‥‥注出口
１５‥‥エンボス模様
１６‥‥切り込み
ａ‥‥注出口切取り位置指示マーク
【図１】
2004136937.tif 000003
【図２】
2004136937.tif 000004